(57)【要約】【課題】  全体を省資源化してコストを安くすると共に、取付板を支持している側板の体勢をより強固なものとし、且つ底板と側板との組み付けをより確実なものとすることが出来るようなスタンド型表示体を提供する。【解決手段】  両側部を後方に折り返して突っ張り固定片で固定して立体化する背面支持板と、この背面支持板を固定する底部支持板と、で表示板を支持すると共に、背面支持板には左右折り返し片が設けられており、この左右折り返し片と前記底部支持板とを表示板方向へ折り返して表示板を梱包するようにしたものである。表示板とこれを支える背面支持板とは、底部支持板の上に安定的に置かれると共に底部支持板によって堅固に固定される。またこれにより表示板を立てる部材が表示板の収納ケースを兼ねることが出来る。【選択図】  図１
2006337968.tif 000002
【特許請求の範囲】
【請求項１】
上下に折り返し可能な縦長の表示板と、この表示板の底部支持板と、この表示板の背面支持板とから成り、前記底部支持板は折り返した表示板を底から覆うべく前方に折り返し可能に設けられており、且つ前記背面支持板には前記折り返した表示板をその左右から覆うための左右折り返し片が前方に折り返し可能に設けられている。
前記背面支持板は両側部を後方に折り返し可能に形成されると共にこの両側部とは直角方向に折り返して両側部に組み付けられることで両側部を固定する突っ張り固定片を備えており、且つ前記底部支持板は前記左右折り返し片の両側部に直角に交わって組み付けられることで前記両側部を固定する噛み合わせ固定片を備えている。
前記表示板の少なくとも上片は、前記背面支持板に対して着脱自在に設けられている。
以上のように構成された自己の収納ケースを兼ねたスタンド型表示体。
【請求項２】
更に両端部にリール杆を有するのぼりを備え、こののぼりの上側のリール杆を掛止するための掛止溝が前記左右折り返し片の上端部で記表示板に近い部分に形成されているか、またはこののぼりの下側のリール杆を掛止するための掛止溝が前記底部支持板または背面支持板に設けられており、且つ表示板の前面に回されたのぼりを緊張させる緊張手段が設けられている、請求項１に記載の自己の収納ケースを兼ねたスタンド型表示体。
【請求項３】
前記背面支持板の両側部と突っ張り固定片との組み付け構成が、−方に設けた切り込み線に他方を差し込むものである、請求項１または請求項２に記載の自己の収納ケースを兼ねたスタンド型表示体。
【請求項４】
前記底部折り返し片と前記左右折り返し片の両側部との組み付け構成が、一方に設けた切り込み線に他方を差し込むものである、請求項１または請求項２に記載の自己の収納ケースを兼ねたスタンド型表示体。
【請求項５】
前記表示板が前記背面支持板に対し、仮接着剤によって着脱自在に設けられている、請求項１または請求項２に記載の自己の収納ケースを兼ねたスタンド型表示体。
【請求項６】
前記底部支持板と、前記背面支持板の左右折り返し片とを前方に折り返して、前記折り返された表示板を覆って収納し、前記底部支持板と左右折り返し片とにテーピングを施して梱包して成る、請求項１または請求項２に記載の自己の収納ケースを兼ねたスタンド型表示体。
【発明の詳細な説明】
【技術分野】
【０００１】  この発明は、スタンド型表示体とこの収納ケースとが一体に形成されており、収納ケースが安定したスタンドの役目を担うことが出来る、自己の収納ケースを兼ねたスタンド型表示体に関するものである。
【背景技術】
【０００２】  この発明で言うスタンド型表示体とは、壁などに持たせ掛けたり別にスタンド用意することなく自立することが出来るようにするために、紙板や合成樹脂板やこれ等を素材とするダンボール加工板などを折り曲げて組み立てるものであり、主として前面部に印刷などによるディスプレイを施して成るものである。【０００３】  このような従来型のスタンド型表示体は、運搬時や収納時にはこれを折り畳んで、別体の梱包用のケースの中に収納しておくものであり、特に前面部のディスプレイ部を汚したり壊したりすることがないように保護しておき、使用の現場で梱包を解いて組み立てるものである。【０００４】  意匠登録第１１８５９２１号の表示具は、前面板と底面板と前記前面板を背後から支えるスタンド板とから成るものであり、底面板の一部を上方に折り曲げてスタンド板に噛み合わせ、全体を強固なものにして自立させようと言うものである。そしてこの前面板が正面となり、ここに映画の広告を印刷したりポスターを貼ることができる。なお「折り畳んだ状態を示す参考図」によればこの表示具の全体がフラットにコンパクトに折り畳まれている様子が表わされている。【０００５】  また紙製の円筒などでは両側から均一に圧力が加えられると平面状に潰れることが知られている。この加圧方向とは直角の両側部方向からの圧力によって元の円筒に近い形状に復元させることが出来る。この原理を応用して、前記平面状のものの上下端部を外側に突出する円弧状に成形し、この円弧状の突出片をやはり円弧状の折り線を付けるようにして内側へ折り込むことによって全体を脹らませることが出来る。実際には一枚の厚紙をのりしろ部を残して二つ折りにし、のりしろ部で両側端部を接着して前記平面状のものを形成している。或いは二枚の厚紙の一方の両側部にのりしろ部を設けて裏側に折り、こののりしろ部で巻き込むようにして他方の厚紙の両側端部を接着して前記平面状のものを形成している。更にこのものを立てられるようにするために、下側と成る端部を略円筒に対して直角に切断したものとし、前記円弧状の突出片に代わって略円筒形状を保つものを中間部分に設けている。このようにして形成される略円筒を、例えば意匠登録第１１８５９２４号のように大型化して、スタンド型表示体として利用することが出来る。例えば略円筒の正面と成る側に、映画の広告を印刷したりポスターを貼ったりするのである。【０００６】  しかしながらこのような構成のスタンド型表示体では運搬や収納のために専用の収納ケースを必要とし、この分だけ部品点数が多くなりコストアップにも繋がっている。また部品点数が多いと一部部品の紛失の危険がある。そこで特開２００５−０５５８４７号のスタンド型表示体では表示部とこの表示部の取付板と、この取付板を周囲から覆うための折り返し片を備えており、この折り返し片を逆方向へ折り返した時に一片が底板と成りこの両側の二片が底板の上に載る側板と成るように両者を組み付けられるようにしたことを特徴としている。これによれば折り返し片である底板と側板とによって安定的に表示部を立てることが出来、運搬時や収納時には折り返し片を用いて表示部を周囲から覆って梱包することが出来る。従って梱包時に梱包用のケース��不要と成り省資源であると共にコストが安いものとなっている。
【特許文献１】意匠登録第１１８５９２１号公報
【特許文献２】意匠登録第１１８５９２４号公報
【特許文献３】特開２００５−５５８４７号公報
【発明の開示】
【発明が解決しようとする課題】
【０００７】  確かに特開２００５−０５５８４７号のスタンド型表示体はこれはこれで優れた発明であるが、側板が、表示部よりも面積の大きい取付板の端部近傍から折り返されるように構成されているためにまだまだ面積が大きい。更に一段の省資源化が可能なはずである。また背丈の高い表示部にしたいとする場合に底板と側板との組み付けだけでは側板の上方部分が開き気味になるなどして不安定な感じを受ける。また底板と側板との組み付けが不本意に外れたりすると側板が簡単に左右に開いてしまい、取付板を支持することができなくなる問題がある。【０００８】  従ってこの発明は、更に省資源化してコストを安くすると共に、取付板を支持している側板の体勢をより強固なものとし、且つ底板と側板との組み付けをより確実なものとすることが出来るようなスタンド型表示体の提供を課題とするものである。【０００９】  更に、広く確保できる表示部への広告やポスターの取り付けに関して全く新しい構造のものを提供することを課題とする。
【課題を解決するための手段】
【００１０】  上記の課題は、次のように構成された自己の収納ケースを兼ねたスタンド型表示体とすることにより達成される。すなわち上下に折り返し可能な縦長の表示板と、この表示板の底部支持板と、この表示板の背面支持板とから成り、前記底部支持板は、折り返した表示板を底から覆うべく前方に折り返し可能に設けられており、且つ前記背面支持板には前記折り返した表示板をその左右から覆うための左右折り返し片が前方に折り返し可能に設けられている。また前記背面支持板は両側部を後方に折り返し可能に形成されると共にこの両側部とは直角方向に折り返して両側部に組み付けられることで両側部を固定する突っ張り固定片を備えており、且つ前記底部支持板は前記左右折り返し片の両側部に直角に交わって組み付けられることで前記両側部を固定する、噛み合わせ固定片を備えている。更に前記表示板の少なくとも上片は前記背面支持板に対して着脱自在に設けられている。【００１１】  前記表示板の周辺部には、折り返し片である底部支持板と、背面支持板の左右折り返し片とが設けられている。このため底部支持板と左右折り返し片とを前方へ折ることによって、折り畳んで小さくした表示板（表示板の少なくとも上片を背面支持板から外して折り畳む）を覆うことが出来る。従って表示板が底部支持板及び左右折り返し片で覆われて梱包されることに成る。この状態で運搬や収納が可能である。ここで重要な点は底部支持板と左右折り返し片とを前方へ折る、すなわち表示板を隠すように折ることである。【００１２】  次に上記とは逆に後方へ、底部支持板と背面支持板とを折り返すと、表示板が露出して顕わになる。両側部を後ろへ折り返した背面支持板に付いて、前記突っ張り固定片をこの両側部とは直角方向に折り返して両側部に組み付けられることで両側部を一定距離に固定することができる。また後ろへ折り返した底部支持板に付いて、この底部支持板に設けられた噛み合わせ固定片が前記左右折り返し片の両側部を固定する。従って背面支持板の両側部は、前記突っ張り固定片と噛み合わせ固定片とによって固定され、前記表示板を安定的に立てることが出来る。なお両側部を後ろへ折り返した背面支持板だけで前記表示板を支えようとすると不安定に成る場合もあるが、背面支持板が底部支持板の上に載る構造には、底部支持板が床に面で広く接触するために、姿勢が安定すると言う利点がある。また前記表示板と底部支持板との折り返しの角度に付いては任意であるが、主として９０度前後、好ましくは９０度或いは９０度よりも幾分小さい角度とする。また前記突っ張り固定片を設けるのは１ヵ所でも良いが、多くなればそれだけ取付板を支持している側板の体勢をより強固なものにすることが出来る。なお折り畳まれた状態の表示板を開いて背面支持板に固定するには、両面接着テープなど任意の接着手段を用いてよい。【００１３】  この発明のスタンド型表示体は上述したような構成であるから、後ろへ折り返した底部支持板と背面支持板とによって安定的に表示板を立てることが出来る。表示板を支持する背面支持板は強固であり、更に底部支持板とも確実に組み付けられる。また運搬時や収納時には運搬時や収納時には一方の辺は折り返した表示板の折り返し部自体によ���、他の三方の辺は底部支持板と背面支持板とによって周囲から覆って梱包することが出来る。すなわち梱包時に梱包用のケースが不要と成るのである。従って梱包用のケースを不要としている分、省資源であると言うことが出来る。更に特開２００５−０５５８４７号のスタンド型表示体と比較しても、背面支持板がより幅狭のもので良いためより一層の省資源化が実現されコストが安くなっている。なお前記表示板と底部支持板や背面支持板とは一体であるから、スタンド型表示体を梱包用のケース内に納めた従来型のものと大きく異なり、内部で表示板がガタ付いたりすることがない。なお表示板を更に保護すべく底部支持板や背面支持板の表示板対応箇所にクッションを取り付けるなどしても良い。【００１４】  ところでこの発明のスタンド型表示体には、さらに両端部にリール杆を有するのぼりを備えて、こののぼりの上側のリール杆を掛止するための掛止溝が前記左右折り返し片の上端部で記表示板に近い部分に形成されているか、またはこののぼりの下側のリール杆を掛止するための掛止溝が前記底部支持板または背面支持板に設けられており、且つ表示板の前面に回されたのぼりを緊張させる緊張手段が設けられているものとすることが出来る。【００１５】  一般的にこの種のぼりには布製のものや合成樹脂シートになるものが主流であるが、収納時には両端部のリール杆で巻き取ることで非常にコンパクトになる。これを広げて上側のリール杆に取り付けた吊り紐で吊すと、のぼり本体や下側のリール杆の重さによってのぼりをピンと張ることが出来る。【００１６】  このようなのぼりをこの発明のスタンド型表示体の表示に利用することが出来る。すなわち前記表示板にのぼりを預け、上側のリール杆と下側のリール杆とを引くことによりテンションを掛けてのぼりをピンと張るのである。この請求項２の構成では前記左右折り返し片に設けた掛止溝に上側のリール杆を掛けて半固定の状態にし、のぼりを表示板の前に掛け、下側のリール杆を底部支持板を回して裏側へ送り、前記緊張手段で引いて固定するのである。或いはまた前記底部支持板または背面支持板に設けた掛止溝に下側のリール杆を掛けて半固定の状態にし、のぼりを表示板の前に回して、上側のリール杆をスタンド型表示体の頂部から裏側へ送り、前記緊張手段で引いて固定するのである。この緊張手段はどのようなものであっても良いが、簡易であり且つコストが安いものとしてゴム紐を上げることが出来る。例えばゴム紐を背面支持板に取り付けておき、これをリール杆に掛けるようにする。【００１７】  次に請求項３の発明では、請求項１または請求項２に記載の自己の収納ケースを兼ねたスタンド型表示体に於いて、前記背面支持板の両側部と突っ張り固定片との組み付け構成を、一方に設けた切り込み線に他方を差し込むものとした。【００１８】  前記背面支持板の両側部と突っ張り固定片との組み付けには粘着テープや接着剤やを用いることが出来るが、切り込み線を設ける場合には接着剤や粘着テープは不要と成り、組み立てや分解がより容易でスピーディーに行ない得るようになる。なお他方の側にも前記切り込み線を設けて両者の切り込み線同士を差し込むような構成とすることが出来る。十字に交わる２片の各々に切り込み線を設けることで、互いの切り込み線部分が入り込んで２片がしっかりと組み付けられる。この何れにせよこの組み付け構成によれば、後方に折り返した前記背面支持板の両側部の状態をしっかりと固定することが出来る。またこのような組み付け構成が２ヵ所以上に設けられていると、両者の組み付けはより確実なものとなる。【００１９】  あるいは前記底部折り返し片と前記左右折り返し片の両側部との組み付け構成が、一方に設けた切り込み線に他方を差し込むものとすることが出来る。ここでも接着剤や粘着テープは不要と成り、組み立てが楽で分解も容易なものとなる。また上記同様に他方の側にも前記切り込み線を設けて、両者の切り込み線同士を差し込む構成にすると、互いの切り込み線部分が深くに入り込んで、より確実に組み付けることが可能である。【００２０】  次に前記表示板が前記背面支持板に対し、仮接着剤によって着脱自在に設けられているものとすることが出来る。上述したように折り畳まれた状態の表示板を開いて背面支持板に固定するには、両面接着テープなど任意の接着手段を用いることが出来る。あるいは接着剤で堅固に接着してもよい。フックやネジを用いて固定することも可能である。【００２１】  仮固定は、このスタンド型表示体を分解して再度収納すると言うような場合に大いに役立つ。すなわち前記表示板が背面支持板に仮接着されているため、分解時には前記表示板を背面支持板から容易に剥離させて、折り畳むことが出来るようになる。【００２２】  次に請求項１または請求項２に記載の自己の収納ケースを兼ねたスタンド型表示体を用いて、前記底部支持板と、前記背面支持板の左右折り返し片とを前方に折り返して、前記折り返された表示板を覆って収納し、前記底部支持板と左右折り返し片とにテーピングを施して梱包して成るものとすることが出来る。【００２３】  上述したように前記底部支持板は、折り返した表示板を底から覆うべく前方に折り返し可能に設けられており、また前記背面支持板には前記折り返した表示板をその左右から覆うための左右折り返し片が前方に折り返し可能に設けられているため、これ等を前方へ折ることにより表示板を覆うことが出来る。従って底部支持板や左右折り返し片にテーピングが施されると、表示板は完全に梱包された商品となる。言わば表示板と一体のスタンドが表示板のケースになるのである。この状態のスタンド型表示体もこの発明の権利範囲内のものであって、この状態で表示板を保護したまま運搬や収納が可能である。
【発明の効果】
【００２４】  この発明のスタンド型表示体は、両側部を後方に折り返して突っ張り固定片で固定して立体化する背面支持板と、この背面支持板を固定する底部支持板と、で表示板を支持すると共に、背面支持板には左右折り返し片が設けられており、この左右折り返し片と前記底部支持板とを表示板方向へ折り返して表示板を梱包するようにしたものである。表示板とこれを支える背面支持板とは、底部支持板の上に安定的に置かれると共に底部支持板によって堅固に固定される。またこれにより表示板を立てる部材が表示板の収納ケースを兼ねることが出来る。【００２５】  この結果、取付板を支持している側板の体勢がより強固なものとなり、底板と側板との組み付けがより確実なものとなり、また背面支持板がより幅狭のもので良いためより一層の省資源化が実現されコストが安くなっている。【００２６】  なおのぼりを表示板の前に掛けて、のぼりの上下端部に設けたリール杆をこのスタンド型表示体に設けたゴム紐などの緊張手段で引きテンションを掛けて固定するようにしたものでは、全く新しく簡易な構造のものとなっており、低コストで人目を引くものとなっている。
【発明を実施するための最良の形態】
【００２７】  この発明のスタンド型表示体は素材に紙を用いることが出来る。表示板は３つ折り以上のものとして構成することも可能であるが２つ折りが好適である。背面支持板の両側部を後方に折り返しての固定には各種設計が可能であるが、両側部とは直角方向に折り返して両側部に組み付けられることで両側部を固定する突っ張り固定片を用いることは、製造容易の点からもコストの点からも優れている。また底部支持板は背面支持板と表示板とを安定的に立てる役目を担い、両側部を後方に折り返した背面支持板をこの状態で固定する設計には各種あるが、底部支持板上に噛み合わせ固定片を設けておいて、これにより後方に折り返された背面支持板の両側部に噛み合わうようにしてこれを固定する設計が比較的合理的である。
【実施例１】
【００２８】  図１乃至図７を用いてこの実施例１の自己の収納ケースを兼ねたスタンド型表示体を説明する。図７は底部支持板４と左右折り返し片３，３とにテーピングを施して梱包して成るものであり、この状態で保存されたり出荷される。このテーピングを取って展開した状態が図１のものであり、これを組み立てた状態が図２及び図３で表わされている。次に再び折り畳むべく展開した状態が図４のものであり、重合された状態の表示板１及び背面支持板２を各々の折り線１０，２２で折り返した状態を図５で、続けて両側の折り返し片３，３を折り返し底部支持板４を折り返した状態を図６で表わす。このものに必要に応じてテーピングを施すと図７のものになる。【００２９】  折り線２２から縦方向（図１の上下方向）に２つ折りが出来るようになっている背面支持板２は、更に２本の縦線である折り線２１，２１から後方（図１の手前方向）へ略直角に折ることによって両側の側部２０，２０が形成されるようになっている。また前記折り線２２より下側部分の側部２０，２０のさらに外側に折り返し片３，３が折り線によって前方（図１の奥方向）へ折り返し得るように設けられている。この背面支持板２の前側に表示板１が重合されており、表示板１は図３の折り線１０より下側で背面支持板２に接着されている。また背面支持板２の下側には背面支持板２の幅の底部支持板４が、その接着片４０が表示板１と背面支持板２との間に挿入されるようにして接着されている（図３を参照）。また図４から明かとなるように底部支持板４と接着片４０との間には折り線４１が設けられており、これにより底部支持板４は前方へも後方へも折り返せるようになっている。【００３０】  前記背面支持板２には、上下の２ヵ所に図１で表わされているような切り込み線６０が入れられている。この形状は恰かも底のない釜のようであるが、縦方向（図１の上下方向）に２つ折りが出来るように中央に折り線６１が形成されており、この折り線６１より上側が後述する突っ張り固定片６となる部位である。また前記折り線６１の辺りの切り込み線６０には両側に掛止部６３，６３が設けられており、前記折り線２１に合わせて切り込み溝６２，６２が設けられている。この切り込み溝６２は後述するように掛止部６３に掛かるものである。また前記底部支持板４には図１で表わされているような噛み合わせ固定片５が接着されている。噛み合わせ固定片５は図１の上下方向の両側に折り片５０，５０が、各々折り線５１，５１で区切られるように設けられており、上側折り片５０の上縁部の左右２ヵ所に切り込み溝５２，５２が、また下側折り片５０の下縁部の左右２ヵ所に切り込み溝５２，５２が形成されている。またこれ等の切り込み溝５２に合わせるようにして背面支持板２の両側の側部２０，２０とさらにその外側の左右折り返し片３，３の、下縁部に切り込み溝３１が設けられている。【００３１】  次に図１の展開された状態のスタンド型表示体は背面図であり、これを正面から見たものは図４で表わされているが、これを次のような手順で組み立てたものが図２及び図３で表わされているものである。先ず支持板２の側部２０，２０を折り線２１，２１からほぼ直角に後方に折ると、これによって切り込み線６���の内側の部分が切り出されて支持板２と同じ面に残ることになる。そこで上下２つの突っ張り固定片６，６を各々倒して行くと、ほぼ直角に倒れた所で切り込み溝６２が掛止部６３に掛かって止まるため、側部２０，２０が開かないように固定することが出来る。次に底部支持板４を後方に折ると共に、この状態で固定片５の両側の２つの折り片５０，５０をほぼ直角に起こして、この切り込み溝５２を前記切り込み溝３１に噛み合わせるようにする。すなわち前記折り線４１に近い側の折り片５０の左右２つの切り込み溝５２，５２と、支持板２の両側部２０，２０の下縁部の切り込み溝３１，３１と、同時に他側の折り片５０の左右２つの切り込み溝５２，５２と、左右の折り返し片３，３の下縁部の切り込み溝３１，３１と、を噛み合わせるようにするのである。これにより側部２０，２０が開かないように固定することが出来ると共に、背面支持板２を底部支持板４によってしっかりと支持固定することが出来るようになるのである。この後は折り線１０から２つ折りに折られている状態の表示板１を回転させて背面支持板２の上半分に両面粘着テープなどで固定すると完成である（図２及び図３を参照）。【００３２】  さてこのように組み立てられたスタンド型表示体を分解して運搬したり収納したいと言うような場合には、次のような手順でコンパクト化して梱包することが出来る。すなわち前記突っ張り固定片６，６及び固定片５の折り片５０，５０による噛み合わせを解消させることで全体を平板状に展開することが出来る。これを正面側から見たものが図４で表わすスタンド型表示体である。運搬や収納の際に保護したいのは、描画や印刷が施されたり、別体の折り畳み式の表示板が取り付けられて立体化されたり、ポスターが張り付けられている表示板１の表面側である。そこでこの実施例１のスタンド型表示体では、表示板１の上側半分を前方（図４の手前方向）へ折り重ね、続けて両側の折り返し片３，３を前方へ折り重ね、更に底部支持板４を前方へ折り重ねることによって表示板１を保護梱包するのである。【００３３】  この一連の作業状況を図５及び図６で説明する。図５では表示板１の上側半分が前方へ折り重ねられた状態を表わす。この時までに突っ張り固定片６は切り込み線６０の内側に戻されて平面化されている（なおもう一方の突っ張り固定片６に関しても同様である）。次に両側の折り返し片３，３が前方へ折り重ねられ、更に底部支持板４が前方へ折り重ねられ、こうして図６で表わされてる折り畳まれた状態となる。なお図から明かとなるように底部支持板４に於いて固定片５の両側の２つの折り片５０，５０も寝かされて平面化されている。そしてこのままでも運搬収納は可能であるが、折り畳んだ部位がパタパタしないように、例えば図７で表わされているように，折り返し片３，３の各々の端部や底部支持板４の端部を粘着テープ７で背面支持板２側に止めると良い。この状態のスタンド型表示体もこの発明の権利範囲内のものであって、この状態で表示板１を保護したままの運搬や収納が可能である。このように組み立てや分解が簡単で、安定的に設けることが出来る上、特に外箱が不要で部材に無駄がなく、エコタイプのものとなるなど産業上の利点には大きいものがある。
【実施例２】
【００３４】  次に図８及び図９を用いてこの実施例２の自己の収納ケースを兼ねたスタンド型表示体を説明する。巻き物やタペストリーを類推することが出来る、両端部にリール杆を有するのぼりがこの実施例２のスタンド型表示体に使用されている。一般的にこのようなのぼりは、上側となるリール杆に取り付けた吊り紐で吊すことによってピンと張ることが出来る。しかしながら吊り紐で吊るされていることにより風で振れたり、下側のリール杆の重さでのぼりを張っているだけであるから、人が触れたりすると形状が不安定になるなどの問題を抱えている。【００３５】  これに対してこの発明のスタンド型表示体では、表示板１が背面支持板２によりしっかりと支持されていると共に、表示板１そのものが平面を維持することが出来るものであるため、当発明者は前記のぼりと組み合わせることにより、これまでにない全く新しいスタンド型表示体を提供出来ると言う知見を得た。これによればリール杆に巻いてコンパクトにしたのぼりを表示板１と共に収納し得るように設計することも可能である。【００３６】  すなわち図８で表わしたものは上側となるリール杆８０と下側となるリール杆８１との間にのぼり８を設けた布製ののぼりであるが、これを上述した実施例１とほぼ同じ構成のスタンド型表示体に取り付けられるようにしている。図９ではのぼり８を掛けた状態を側面図で表わしている。前記支持板２の側部２０，２０の上縁部で折り線２１，２１の近傍にＵ字形状の掛止溝２３，２３を設け、且つ左右の折り返し片３，３の側縁部で底部支持板４の近傍に幾分深目のＵ字形状の掛止溝３２，３２を設け、下側の突っ張り固定片６の中央部でた右の切り込み溝６２，６２の間にリング８３を取り付け、このリング８３から延びるゴム紐８２を設けて成る。このゴム紐８２が緊張手段の主要部を為す。【００３７】  そしてのぼり８の上側のリール杆８０を上述の掛止溝２３，２３に掛け渡し、のぼり８を表示板１の前面に添わせるようにして下側のリール杆８１を底部支持板４からスタンド型表示体の背後に回し、リール杆８１に前記ゴム紐８２を引っ掛けてから、リール杆８１を前記掛止溝３２，３２に掛け渡すようにする。ゴム紐８２でリール杆８１を引くことによってのぼり８にテンションを掛けてピンと張るのであるが、この時のぼり８は表示板１の前面にピタリと添うものとなる。従ってのぼり８は表示板１と一体化し、風で振れたり形状が不安定になるなどの問題が解決される。またこのスタンド型表示体を折り畳んだ時には、のぼり８部分をリール杆８０，８１に巻いて小さくして粘着テープなどでスタンド型表示体に接着させ、一緒に運搬したり収納したりすることが出来る。【００３８】  なおのぼり８を張る力を強くすることによって、表示板１のような支えの板をなくしても形状を安定させることが可能である。またこの発明の背面支持板２を利用すれば、のぼり８をスタンドに形成すると言う、これまでは全く行なわれていなかったことが出来るのである。そこでこの実施の様子を図１０の参考背面図で表わす。【００３９】  このものは実施例１の構成から表示板１を取り去ると共に、底部支持板４２を前記底部支持板４よりも幅狭の（背面支持板２の折り線２１，２１の間隔よりも幾分広い）ものとし、これに合わせて噛み合わせ固定片５３を設けている。この噛み合わせ固定片５３には折り片５４，５４が設けられており、各々に切り込み溝５５，５５が設けられている。折り線２２から縦方向に２つ折りが出来るようになっている背面支持板２は、更に２本の縦線である折り線から後方へ略直角に折ることにより両側の側部２０，２０が形成されるようになっている。また前記折り線２２より下側部分の側部２０，２０のさらに外側に折り返し片３，３が、折り線によって前方へ折り返し得るように設けられている。この背面支持板２の下側には前記底部支持板４２が、その接着片４０が背面支持板２の下端部に接着されている。前記背面支持板２には、上下の２ヵ所に実施例１の図１で表わされているのと同じ切り込み線６０が入れられている。前記噛み合わせ固定片５３に関しては、上下方向の両側に折り片５４，５４の内、上側折り片５４の上縁部の左右２ヵ所に切り込み溝５５，５５が、下側折り片５４の下縁部の左右２ヵ所に切り込み溝５５，５５が形成されている。またこれ等の切り込み溝５５に合わせるようにして背面支持板２の両側の側部２０，２０とさらにその外側の左右折り返し片３，３の、下縁部に切り込み溝３１が設けられている。また支持板２の両側の側部２０，２０の両側縁部で前記切り込み溝６２よりも幾分上方の部位に、各々鋸歯状溝２４が設けられている。【００４０】  このように構成しておき、背面支持板２を組み立てによって立設し、のぼり８の下側のリール杆８１を前側から底部支持板４２に回してスタンド型表示体の背後に導き、底部支持板４２の底部に取り付けてある図示しない粘着テープの剥離紙を剥離して底部支持板４２の底部にのぼり８を接着させる。粘着テープを用いずとも、このスタンド型表示体の自重で下側のリール杆８１は外れないが、より確実には粘着テープを用いることが好ましい。この後のぼり８の上側のリール杆８０を背面支持板２の両側の側部２０，２０の頂部に掛け渡し、リール杆８０の両端部にゴム紐８４を掛けて、このゴム紐８４を引いてのぼり８にテンションを掛け、ゴム紐８４を前記鋸歯状溝２４に引っ掛けるようにして固定する。これによってのぼり８をピンと張ってスタンドとして立てることが出来るのである。
【産業上の利用可能性】
【００４１】  なおこの発明は上述した実施例にのみ限定されないから、各部の材料は例えばプラスチック段ボールなど任意に選択可能であり、組立後の立体形状を具象形状にするなど自由である。例えば表示板１をアイドルの等身大の人型とするなどである。また各部の組み付けにハトメやクリップなどの止め金具を用いてもよい。またのぼりを用いる場合では、のぼりの背後にライトを設けてのぼりを背後からライトアップすることなども可能である。
【図面の簡単な説明】
【００４２】
【図１】  実施例１を展開した状態を表わす背面図である。
【図２】  組み立てた状態の背面図である。
【図３】  組み立てた状態の側面図である。
【図４】  展開した状態を表わす正面図である。
【図５】  折り畳みの説明図である。
【図６】  折り畳みの説明図である。
【図７】  梱包状態の説明図である。
【図８】  実施例２ののぼり８の説明図である。
【図９】  のぼり８を掛けた状態を表わす側面図である。
【図１０】  のぼり８を掛けた状態を表わす参考背面図である。
【符号の説明】
【００４３】  １    表示板
１０  折り線
２    背面支持板
２０  側部
２１  折り線
２２  折り線
２３  掛止溝
２４  鋸歯状溝
３    折り返し片
３０  折り線
３１  切り込み溝
３２  掛止溝
４    底部支持板
４０  接着片
４１  折り線
４２  底部支持板
５    噛み合わせ固定片
５０  折り片
５１  折り線
５２  切り込み溝
５３  噛み合わせ固定片
５４  折り片
５５  切り込み溝
６    突っ張り固定片
６０  切り込み線
６１  折り線
６２  切り込み溝
６３  掛止部
７    粘着テープ
８    のぼり
８０  リール杆
８１  リール杆
８２  ゴム紐
８３  リング
８４  ゴム紐
【図１】
2006337968.tif 000003
【図２】
2006337968.tif 000004
【図３】
2006337968.tif 000005
【図４】
2006337968.tif 000006
【図５】
2006337968.tif 000007
【図６】
2006337968.tif 000008
【図７】
2006337968.tif 000009
【図８】
2006337968.tif 000010
【図９】
2006337968.tif 000011
【図１０】
2006337968.tif 000012